(57)【特許請求の範囲】
【請求項１】
冷蔵室天井に設けられた冷却装置の下側全体を覆うように設けられたドレンパンのためのドレンパン取付構造であって、
一端縁を前記冷却装置の一端に上下方向に回動自在に固定したドレンパンの他端に逆Ｕ字状の受金を設け、前記冷却装置に、前記ドレンパンを上方に回動させた時にドレンパンの上面に当接してドレンパンの上方への移動を規制するＬ字状のドレンパン押え金具を左右に複数個、Ｌ字状金具の方向が左右で互い違いになるように設け、前記冷却装置の他端にレバーにより掛金を締め付け操作する方式の掛止め金具を設け、前記ドレンパンを上方に回動させた状態で前記掛止め金具の掛金を前記受金に引っ掛けて締め付けるようにしたことを特徴とするドレンパン取付構造。
【発明の詳細な説明】
【０００１】
【発明の属する技術分野】
本発明は、プレハブ冷蔵庫等の冷蔵室天井に設けられた冷却装置用のドレンパン取付構造に関するものである。
【０００２】
【従来の技術】
図６は、プレハブ冷蔵庫の断面図である。図６において、２０はプレハブ冷蔵庫の断熱壁、２１は断熱扉、２２は冷却装置、２３はファンカバー、２４はドレンパンである。
【０００３】
プレハブ冷蔵庫は、断熱壁２０と断熱扉２１で囲まれており、その内部の冷蔵室は、冷却装置２２により冷却される。冷却装置２２の内部には、冷却ユニットに接続された冷却器と、該冷却器で冷却した冷気を、矢印で示すような方向に循環させるためのファンが設けられており、そのファンは、ファンカバー２３により覆われている。
【０００４】
上記冷却器は、冷却している間に空気中の水分が霜となって付着し、その層が厚くなると冷却効率が低下する。そこで、霜がある程度付着したら冷却運転を停止させて除霜を行うが、その際に、解けた霜が水滴となって落下する。ドレンパン２４は、その水滴を受けるため、冷却装置２２の下面を覆うように設けられている。そのドレンパン２４は、通常、ビスにより冷却装置２２の側部に固定されている。
【０００５】
なお、このようなプレハブ冷蔵庫に関連する従来の文献としては、例えば、特開平8-121924号公報(F25D 11/00)，特開2000-180020号公報(F25D 19/00)がある。
【０００６】
【発明が解決しようとする課題】
ところで、近年、様々なキノコ類が食材として利用されるようになってきているが、それらキノコ類の内、マイタケ等、ある種のキノコは、巨大なプレハブ冷蔵庫や冷却設備を具えた部屋の中で、温度管理を行いながら大量栽培が行われている。しかしながら、そのような栽培室内では、キノコが大量の胞子を撒き散らすため、上記従来のプレハブ冷蔵庫に設けられたようなドレンパンには、胞子がすぐに貯まってしまう。そのため、頻繁にドレンパンの掃除を行う必要があるが、従来のもののようにドレンパンをビス止めにより取り付けていたものではドレンパンの取り外しが面倒で掃除がしにくいという問題点があった。
【０００７】
本発明は、そのような問題点に鑑み、ドレンパンが容易に開閉できるようにして、掃除をし易くすることを目的とするものである。
【０００８】
【課題を解決するための手段】
前記課題を解決するため、本発明のドレンパン取付構造は、冷蔵室天井に設けられた冷却装置の下側全体を覆うように設けられたドレンパンのためのドレンパン取付構造であって、一端縁を前記冷却装置の一端に上下方向に回動自在に固定したドレンパンの他端に逆Ｕ字状の受金を設け、前記冷却装置に、前記ドレンパンを上方に回動させた時にドレンパンの上面に当接してドレンパンの上方への移動を規制するＬ字状のドレンパン押え金具を左右に複数個、Ｌ字状金具の方向が左右で互い違いになるように設け、前記冷却装置の他端にレバーにより掛金を締め付け操作する方式の掛止め金具を設け、前記ドレンパンを上方に回動させた状態で前記掛止め金具の掛金を前記受金に引っ掛けて締め付けるようにしたことを特徴とする。このようにすると、ドレンパンが容易に開閉できて掃除がし易くなり、また、ドレンパン押え金具をＬ字状にしたことにより単純な構造でありながら、下端の水平部分でドレンパンを安定的に位置規制でき、さらに、Ｌ字状金具を左右に複数個設け、該Ｌ字状金具の方向が左右で互い違いになるように設けたことにより、ドレンパンに当接する水平部分の位置が互い違いになって、ドレンパンとの接触面積が大きくなり、ドレンパンをより安定的に固定できる。
【０００９】
【発明の実施の形態】
以下、本発明の実施の形態を図面に基づいて詳細に説明する。
図１は、冷却装置の断面図である。図１において、１は冷却器、２は両側の冷却器１を連結して固定するための冷却器連結板、４はファンモータにより回転されるファン、５はドレンパンである。
【００１０】
冷却器１，１は、冷蔵庫天井板１２の下面に設けられ、図２に、冷却装置を上方から見た状態を示すように、左右に平行に配置されている。ドレンパン５の中央部は、円形にくり抜かれていてその周囲は円形突縁６で囲まれており、また、端部にドレン管１４が接続されていて、ドレンパン５に貯まったドレン水はそれから排出される。そして、円形突縁６の中にファン４が配置されていて、ファン４の下側はファンカバー７により覆われており、そのファンカバー７は、ドレンパン５にビス止めされている。
【００１１】
ドレンパン５の一端縁は、回動軸８により上下方向に回動自在に軸支されており、図３に示すように、回動軸８を中心にしてドレンパン５が開閉できるようにしている。そして、ドレンパン５の他端には逆Ｕ字状の受金９が設けられ、受金９に対向する冷却器１の外面に、レバーにより掛金１１を締め付け操作する方式の掛止め金具１０が設けられており、図４に示すように、その掛金１１を受金９に引っ掛けて掛止め金具１０を締め付けることによりドレンパン５の他端を固定できるようにしている。
【００１２】
その際、ドレンパン５が上方へ行き過ぎないように押さえるものがないと、掛止め金具１０の掛金１１により受金９を引き上げても、ドレンパン５が下方に落下しないように支えているだけの状態になり、ドレンパン５を安定的に固定できない。そこで、冷却器連結板２にドレンパン押え金具１３を取り付けて、それらによりドレンパン５が上方へ行き過ぎないように押さえるようにしている。
【００１３】
ドレンパン押え金具１３は、図５に示すようにＬ字状になっており、その垂直板部には、冷却器連結板２へ取り付けるための取付孔１６及び長孔１７を形成している。その内、取付孔１６は一定の間隔で複数個設けられ、そのいずれかを使ってネジ止めすることによりドレンパン押え金具１３の高さ調整が段階的にできるようにしている。また、いずれの取付孔１６でもぴったりした高さ位置が得られない場合には、長孔１７を使って無段階で調整して取り付ける。
【００１４】
また、水平な押え板１５の下面には、発泡樹脂、ゴム等、弾力性のあるスペーサ１８が設けられていて、それにより、ドレンパン５を押さえている際に振動を吸収してびびり音の発生を防止できるようにしている。
【００１５】
さらに、そのようなドレンパン押え金具１３を冷却器連結板２に取り付ける際に、Ｌ字状のドレンパン押え金具１３の取り付け方向を、ドレンパン５に当接する水平部分の位置が左右で互い違いになるようにして、ドレンパン５との接触面積を大きくし、ドレンパン５をより安定的に固定できるようにしている。
【００１６】
なお、上記実施形態では、ドレンパン押え金具１３としてＬ字状の金具を用いた場合で説明したが、必ずしもそれに限定されず、ドレンパン５を押し下げることができるものであれば、例えば、逆Ｔ字状，Ｉ字状等、その他の形態のものでも用いることができる。
【００１７】
【発明の効果】
本発明は、以上説明したように構成されているので、次に記載するような効果を奏する。
すなわち、ドレンパンの一端縁を冷却装置の一端に上下方向に回動自在に固定し、ドレンパンの他端に受金を設け、ドレンパン押え金具で上方への位置規制をしながら、ドレンパンを上方に回動させた状態で掛止め金具の掛金を前記受金に引っ掛けて締め付けるようにした。その結果、常時はドレンパンを安定的に固定しながら、掃除の際にはドレンパンを容易に開閉できて掃除がし易くなる。また、ドレンパン押え金具をＬ字状にしたことにより単純な構造でありながら、下端の水平部分でドレンパンを安定的に位置規制でき、さらに、Ｌ字状金具を左右に複数個設け、該Ｌ字状金具の方向が左右で互い違いになるように設けたことにより、ドレンパンに当接する水平部分の位置が互い違いになって、ドレンパンとの接触面積が大きくなり、ドレンパンをより安定的に固定できる。
【図面の簡単な説明】
【図１】  冷却装置の断面図である。
【図２】  冷却装置を上方から見た状態を示す図である。
【図３】  ドレンパンを開いた状態を示す図である。
【図４】  ドレンパン係止部の拡大図である。
【図５】  ドレンパン押え金具を示す図である。
【図６】  プレハブ冷蔵庫の断面図である。
【符号の説明】
１…冷却器
２…冷却器連結板
３…ファンモータ
４…ファン
５…ドレンパン
６…円形突縁
７…ファンカバー
８…回動軸
９…受金
１０…掛止め金具
１１…掛金
１２…冷蔵庫天井板
１３…ドレンパン押え金具
１５…押え板
１８…スペーサ
【図１】
0003989266.tif 000002
【図２】
0003989266.tif 000003
【図３】
0003989266.tif 000004
【図４】
0003989266.tif 000005
【図５】
0003989266.tif 000006
【図６】
0003989266.tif 000007